(57)【要約】この発明は燃料電池が電力供給するホスト装置、例えば電子装置に結合するように構成された燃料サプライ（１２）に向けられている。燃料サプライは前面フェース（１６）と少なくとも１つの機能要素とを有し、この少なくとも１つの機能要素が、前面フェースに設定された基準（２２）に対応して配置される。前面フェースはホスト装置の対応するフェース（１６’）に対向して配置され、基準（２２’）がホスト装置上の照合基準と照合し、少なくとも１つの機能要素がホスト装置上の対応する結合に結合される。アダプタ（３８）も提供される。【選択図】  図２（ａ）
2007526600.tif 000002
【特許請求の範囲】
【請求項１】
ホスト装置に結合されるように構成され、燃料を含む燃料サプライにおいて、
前面フェースと少なくとも１つの機能要素とを有し、
上記少なくとも１つの機能要素は上記燃料サプライ上に形成された基準に応じて配置され、
上記燃料サプライが上記ホスト装置に結合されたときに、上記前面フェースが上記ホスト装置の対応するフェースに対向し、上記基準が上記ホスト装置上の照合基準と照合し、上記少なくとも１つの機能要素が上記ホスト装置上の対応する結合と連結されることを特徴とする燃料サプライ。
【請求項２】
上記ホスト装置は燃料電池が電力供給する電子装置である請求項１記載の燃料サプライ。
【請求項３】
上記ホスト装置は燃料電池である請求項１記載の燃料サプライ。
【請求項４】
上記ホスト装置は充電器である請求項１記載の燃料サプライ。
【請求項５】
上記少なくとも１つの機能要素は上記前面フェース上に配置される請求項１記載の燃料サプライ。
【請求項６】
上記少なくとも１つの機能要素は上記カートリッジの側部上に配置される請求項１記載の燃料サプライ。
【請求項７】
上記少なくとも１つの機能要素は上記カートリッジの頂部上に配置される請求項１記載の燃料サプライ。
【請求項８】
上記少なくとも１つの機能要素は上記カートリッジの底部上に配置される請求項１記載の燃料サプライ。
【請求項９】
上記少なくとも１つの機能要素は上記カートリッジの背面部上に配置される請求項１記載の燃料サプライ。
【請求項１０】
上記前面フェースは実質的に平坦である請求項１記載の燃料サプライ。
【請求項１１】
上記前面フェースは曲面である請求項１記載の燃料サプライ。
【請求項１２】
上記前面フェースは同一平面上にない複数部分を有する請求項１記載の燃料サプライ。
【請求項１３】
上記少なくとも１つの機能要素は上記同一平面上にない複数部分の１つに配置される請求項１２記載の燃料サプライ。
【請求項１４】
上記同一平面上にない複数部分は平行である請求項１２記載の燃料サプライ。
【請求項１５】
上記同一平面上にない複数部分は平行でない請求項１記載の燃料サプライ。
【請求項１６】
上記少なくとも１つの機能要素は上記基準に一致する請求項１記載の燃料サプライ。
【請求項１７】
上記基準は前面フェース上に配置される請求項１記載の燃料サプライ。
【請求項１８】
上記少なくとも１つの機能要素は、遮断バルブ、メモリ記憶装置、機械接続部、電気接続部、油圧接続部、センサ、ロック、ラッチ、燃料充填ポート、再充填バルブ、配向外観、またはガイドを有する請求項１記載の燃料サプライ。
【請求項１９】
上記基準は角の基準を含む請求項１記載の燃料サプライ。
【請求項２０】
上記基準は突出した基準を含む請求項１記載の燃料サプライ。
【請求項２１】
上記基準は幅の基準を含む請求項１記載の燃料サプライ。
【請求項２２】
上記基準は直交する基準点を含む請求項１記載の燃料サプライ。
【請求項２３】
上記基準はノッチの基準を含む請求項１記載の燃料サプライ。
【請求項２４】
上記ノッチの基準は２つの直交する脚部を有する請求項２３記載の燃料サプライ。
【請求項２５】
上記基準はピンの基準を含む請求項１記載の燃料サプライ。
【請求項２６】
上記少なくとも１つの機能要素の位置は上記基準からデカルト座標で測定される請求項１記載の燃料サプライ。
【請求項２７】
上記少なくとも１つの機能要素の位置は上記基準から球座標で測定される請求項１記載の燃料サプライ。
【請求項２８】
上記前面フェースの一部および上記ホスト装置の対応するフェースの一部が標準化されている請求項１記載の燃料サプライ。
【請求項２９】
上記燃料サプライが上記ホスト装置に結合された後の状態で、上記燃料サプライが上記ホスト装置の外部表面の一部を形成する請求項１記載の燃料サプライ。
【請求項３０】
上記燃料サプライが上記ホスト装置に結合された後の状態で、上記燃料サプライが上記ホスト装置の外部表面の一部を形成しない請求項１記載の燃料サプライ。
【請求項３１】
上記基準は特定の燃料に対応して選択される請求項１記載の燃料サプライ。
【請求項３２】
燃料サプライをホスト装置に結合するアダプタにおいて、
上記ホスト装置上の対応する第１の結合部に連結するように構成された少なくとも１つの第１の機能要素を有し、
上記第１の機能要素は上記アダプタ上に配置された第１の基準に対応して配置され、上記第１の基準は上記ホスト装置上の第１の照合基準に照合し、かつ、
上記アダプタは上記燃料サプライに結合され、燃料が上記燃料サプライから上記ホスト装置に輸送されることを特徴とするアダプタ。
【請求項３３】
上記アダプタは上記燃料サプライに少なくとも１つのチューブにより結合される請求項３２記載のアダプタ。
【請求項３４】
上記アダプタはマニホールドにより上記燃料サプライに結合される請求項３２記載のアダプタ。
【請求項３５】
上記アダプタは複数の燃料サプライに結合され、上記燃料サプライが相互に流体連通されている請求項３２記載のアダプタ。
【請求項３６】
少なくとも１つの第２の接続部が上記燃料サプライ上の対応する第２の機能要素に連結するように構成され、上記燃料サプライが機能的に上記ホスト装置に連結され、上記第２の機能要素が上記燃料サプライ上の第２の基準に対応して配置され、さらに、
上記第１の機能要素の上記第１の基準に対する位置が、上記第２の機能要素の上記第２の基準に対する位置と実質的に同一である請求項３２記載のアダプタ。
【発明の詳細な説明】
【技術分野】
【０００１】
この発明は、一般に、燃料電池サプライに関し、より具体的には、多数のホスト装置または燃料電池装置例えば電子装置の充電器に交換可能に使用する燃料サプライに関する。
【背景技術】
【０００２】
燃料電池は、直接すなわち、反応物質、すなわち燃料および酸素の化学エネルギを直流（ＤＣ）電気に直接変換する装置である。多くの漸増している用途において、燃料電池は、化石燃料の燃焼などの従来の発電よりも効率的であり、リチウムイオンバッテリーなどの携帯型蓄電池より効率的である。
【０００３】
一般に、燃料電池技術はアルカリ燃料電池、高分子電解質燃料電池、りん酸燃料電池、溶融炭酸塩燃料電池および固体酸化物燃料電池等の、様々な異なった燃料電池を含む。今日の、より重要な燃料電池は３つの一般的なカテゴリに分割することができる。すなわち、圧縮水素（Ｈ２）を燃料として利用したもの；燃料としての水素に改質されるメタノール（ＣＨ３ＯＨ）、水素化ホウ素ナトリウム（ＮａＢＨ４）、炭化水素（例えばブタン）又は他の燃料を使用する陽子交換膜（ＰＥＭ）の燃料電池；および直接メタノール（ＣＨ３ＯＨ）燃料を使用できるＰＥＭ燃料電池（「ダイレクトメタノール燃料電池」すなわちＤＭＦＣ）である。圧縮された水素は一般に、高い圧力の下で保たれ、そのため、扱いが難しい。その上、大きい貯蔵タンクが通常必要で、消費者向け電子製品用に十分小さくすることができない。通常の改質燃料電池は、燃料を水素に変換して燃料電池中で酸化剤と反応させるために、改質材が必要であり、また他の気化および補助システムを必要とする。近年の技術進歩により、改室材または改室燃料電池は消費者向け電子製品に有望である。ＤＭＦＣでは、メタノールが直接に燃料電池中で酸素と反応し、このＤＭＦＣは、最も簡単で可能性としては最も小さくなる燃料電池であり、消費者向け電子製品用の電力供給に最も有望である。
【０００４】
比較的供給が大きなアプリケーションでは、ＤＭＦＣは、酸化剤、典型的には空気か酸素を陰極電極に供給するためのファンかコンプレッサーと、水／メタノール混合物を陽極電極へ供給するポンプと、膜電極アセンブリ（ＭＥＡ）とを典型的に具備する。ＭＥＡは、典型的には、陰極、ＰＥＭおよび陽極を含む。動作中、水／メタノール燃料の混合液体が直接に陽極に供給され、酸化剤が陰極に供給される。各電極での化学電気反応と燃料電池に関する総合的な反応は以下の通り記述される：
【０００５】
陽極での反応：
ＣＨ３ＯＨ  ＋  Ｈ２Ｏ  →  ＣＯ２  ＋  ６Ｈ＋  ＋  ６ｅ−
陰極での反応：
Ｏ２  ＋  ４Ｈ＋  ＋  ４ｅ−  →  ２Ｈ２Ｏ
全体の燃料電池反応：
ＣＨ３ＯＨ  ＋  １。５Ｏ２  →  ＣＯ２  ＋  ２Ｈ２Ｏ
【０００６】
ＰＥＭを通る水素イオン（Ｈ＋）が陽極から陰極を通り抜けてマイグレーションするために、また、自由電子（ｅ−）がＰＥＭを通り抜けられないため、電子は外部回路を通って流れなければならず、外部回路を通して電流を生じさせる。この外部回路は、モバイルすなわちセル電話、計算機、パーソナルデジタツアシスタンツ、ラップトップコンピュータ、電力ツールなどの有益な消費者向けの電子製品であってよい。ＤＭＦＣは、特許文献１および特許文献２に開示されており、詳細はこれらに記載のとおりである。一般に、ＰＥＭはＮａｆｉｏｎ（商標）などの高分子から作られており、ＤｕＰｏｎｔから入手可能であり、厚さが約０．０５ｍｍ〜約０．５０ｍｍの範囲のペルフルオ化合物材料、その他である。陽極は、典型的には、白金ルテニウムなどの触媒の薄層によってサポートされたテフロン（Ｔｅｆｌｏｎｉｚｅｄ）のカーボン紙から製造される。陰極は、典型的には、白金粒子が膜の一面に接着されるガス拡散電極である。
【０００７】
水素化ホウ素ナトリウム改質燃料電池の燃料反応は以下のようなものである：
ＮａＢＨ４（液体）＋２Ｈ２Ｏ→（加熱または触媒）→４（Ｈ２）＋（ＮａＢＯ２）（液体）
Ｈ２→２Ｈ＋＋２ｅ−（陽極で）
２（２Ｈ＋＋２ｅ−）＋Ｏ２→２Ｈ２Ｏ（陰極で）
適切な触媒は白金およびルテニウム、その他である。水素化ホウ素ナトリウムを改質して生成された水素燃料は燃料電池中で、酸化剤例えばＯ２と反応させられ、電気（すなわち電子の流れ）および水の副産物を生成する。ホウ酸ナトリウム（ＮａＢＯ２）の副産物も改質プロセスで生成される。水素化ホウ素ナトリウム燃料電池は特許文献３に検討されており、参照してここに組み入れる。
【０００８】
燃料サプライまたは電源サプライ、例えばバッテリは、選択サイズで、例えば、ＡＡ、ＡＡＡ、ＣおよびＤバッテリとして、商業的に入手可能である。各タイプは、サイズや寸法が決まっていて、決められた組の電子装置に使用できるようになっており、また、バッテリは複数の電子装置に交換可能に使用することはできない。さらに、種々のバッテリからの電圧および電流出力は異なっている。
したがって、この分野において、種々のタイプのホストまたは電子装置とともに交換可能に使用できる燃料サプライに対する要望がある。
【特許文献１】米国特許第５９９２００８号
【特許文献２】米国特許第５９４５２３１号
【特許文献３】米国公開特許出願２００３／００８２４２７
【発明の開示】
【０００９】
この発明は、複数の電子装置とともに利用できる、燃料電池用の燃料サプライに向けられている。
【００１０】
この発明は、また、基準手法に基づく燃料電池用の燃料サプライに向けられている。
【００１１】
この発明は、ホスト装置に結合されるように構成され、燃料を含む燃料サプライに向けられており、この燃料サプライは、前面フェースと少なくとも１つの機能要素とを有する。この機能要素は上記燃料サプライ上に形成された基準に応じて配置される。上記燃料サプライが上記ホスト装置に結合されたときに、上記前面フェースが上記ホスト装置の対応するフェースに対向し、上記基準が上記ホスト装置上の照合基準と照合する。この結果、上記機能要素が上記ホスト装置上の対応する結合と連結される。
【００１２】
上記ホスト装置は、燃料電池が電力供給する電子装置、燃料電池、または、充電器、その他であってよい。上記機能要素は上記前面フェース上、上記カートリッジの側部上、上記カートリッジの頂部上、上記カートリッジの底部上、または上記カートリッジの背面部上に配置されてよい。上記前面フェースは実質的に平坦であってもよく、曲面であってもよい。上記前面フェースは同一平面上にある、または同一平面上にない複数部分を有し、上記同一平面にある部分は平行でも良く、または相互に角度を有しても良い。
【００１３】
この発明の他の側面によれば、上記機能要素は上記基準と一致する。上記機能要素は、遮断バルブ、メモリ記憶装置、接続部（機械、電気、油圧、その他）、センサ、ロック、ラッチ、燃料充填ポート、再充填バルブ、配向外観、またはガイド、その他であってよい。この発明の他の側面によれば、上記基準は、角の基準、突出した基準、幅の基準、直交する基準点、ノッチの基準、または直交する基準脚部、その他であってよい。
【００１４】
この発明の他の側面によれば、上記機能要素の位置は上記基準からデカルト座標、または極すなわち球座標で測定される。
【００１５】
この発明の他の側面によれば、上記前面フェースの一部および上記ホスト装置の対応するフェースの一部のみが標準化される。
【００１６】
この発明の他の側面によれば、燃料サプライをホスト装置に結合するアダプタが実現される。このアダプタは、記ホスト装置上の対応する第１の結合部に連結するように構成された少なくとも１つの第１の機能要素を有する。この第１の機能要素は上記アダプタ上に配置された第１の基準に対応して配置される。また、上記アダプタは上記燃料サプライに結合され、燃料が上記燃料サプライから上記ホスト装置に輸送される。そのような連結はチューブまたはマニホールドを含んでよい。
【００１７】
代替的には、そのような連結は、上記アダプタ上の少なくとも１つの第２の結合部により実現され、これは上記燃料サプライ上の対応する第２の機能要素と連結するサイズおよび寸法にされ、燃料サプライが機能的に上記ホスト装置と連結される。上記第１の機能要素は上記アダプタ上の第１の基準に対応して配置され、上記第２の機能要素は上記燃料サプライ上の第２の基準に対応して配置される。上記第１の機能要素の上記第１の基準に対する位置は、上記第２の機能要素の上記第２の基準に対する位置と実質的に同一である。
【発明を実施するための最良の形態】
【００１８】
添付図面に例示され、以下で詳細に説明されるように、この発明は、メタノールと水、メタノール／水混合液、濃度が変化するメタノール／水混合液または純粋なメタノールなどの燃料電池用の燃料を格納する燃料サプライ（燃料供給装置）に向けられている。メタノールは多くのタイプの燃料電池、例えば、ＤＭＦＣ、酵素（ｅｎｚｙｍｅ）燃料電池、改質燃料電池、その他に使用できる。燃料サプライは他のタイプの燃料電池の燃料、例えば、エタノールまたはアルコール、水素に改質できる化学物質、または、燃料電池の性能や効率を改善することができる他の化学物質を含んでも良い。燃料は、また、水酸化カリウム（ＫＯＨ）電解質を含んでも良く、これは金属燃料電池またはアルカリ燃料電池とともに用いることができ、燃料サプライに貯蔵することができる。金属燃料電池に対しては、燃料はＫＯＨ電解質反応溶液に浸漬された液体担持亜鉛の形態をしており、電池空洞中の陽極は亜鉛粒子からなる粒状陽極である。ＫＯＨ電解質溶液は、「１または複数の負荷に電力供給するように構成された燃料電池システムの使用方法」という題名で２００３年４月２４日に公開された米国公開特許出願２００３／００７７４９３に開示されており、参照してここに組みこむ。燃料は、また、メタノール、過酸化水素、および硫酸の混合物を含み、これはシリコンチップ状に形成された触媒を通過して流れ燃料電池反応を生成する。燃料は、また、液体水素化ホウ素ナトリウム（ＮａＢＨ４）および水を含み、これは上述のとおりである。燃料はさらに炭化水素燃料を含み、炭化水素燃料は、これに限定されないが、ブタン、灯油、アルコール、および天然ガスを含み、これは、「液体ヘテロインタフェース燃料電池デバイス」という題名で、２００３年５月２２日に公開された米国公開特許出願２００３／００９６１５０に開示されており、参照してここに組みこむ。燃料は、また、燃料と反応する液体酸化物を含む。したがって、この発明は、サプライ中に含有される、任意のタイプの燃料、電解質溶液、酸化物溶液または液体に制約されない。ここで使用される用語「燃料」は、燃料電池または燃料サプライ中で反応することができるすべての燃料を含み、また、上述の適切な燃料、電解質溶液、酸化物溶液、液体、および／または化学物質ならびにこれらの混合物のすべてを含むが、これに限定されない。
【００１９】
ここで使用される用語「燃料サプライ」は、これに限定されないが、使い捨てカートリッジ、再充填可能／再使用可能カートリッジ、電子製品内に配置されるカートリッジ、電子製品の外部に配置されるカートリッジ、燃料タンク、燃料再充填タンク、燃料を貯蔵する他のコンテナ、および、燃料タンク、コンテナ、燃料電離又は燃料電池が電力供給する電子製品に結合された管材を含む。カートリッジはこの発明の例示的な実施例との関連で以下に説明されるが、これら実施例は他の燃料サプライにも適用可能であり、この発明は燃料サプライのいかなる特定のタイプにも限定されないことに留意されたい。
【００２０】
この発明の燃料サプライは、燃料電池で使用されない燃料を貯蔵するのに使用しても良い。これらの用途は、これに限定されないが、シリコンチップ上に構築されたマイクロガスタービン用の炭化水素および水素燃料を貯蔵することであり、”Ｈｅｒｅ  Ｃｏｍｅ  ｔｈｅ  Ｍｉｃｒｏｅｎｇｉｎｅｓ”、Ｔｈｅ  Ｉｎｄｕｓｔｒｉａｌ  Ｐｈｙｓｉｃｉｓｔ（２００１年１２月／２００２年１月）、ｐｐ．２０−２５に検討されている。他の用途は、内燃機関エンジン用の伝統的な燃料や、ポケットおよび実用ライター用の炭化水素例えばブタンおよび液体プロパンを貯蔵することである。
【００２１】
この発明の一側面によれば、当該燃料電池が電源供給するホスト装置または電子装置に燃料カートリッジが正しく挿入されることを確実にするために基準が供給される。この基準方法は、カートリッジ製造プロセスの際、および／または電子装置中に内部燃料室を組み立てる際にも利用して適切である。この方法によれば、基準が選択され、この基準に応じた幾何学形状で、カートリッジに関する機能的な外観、すなわち、バルブ、結合（流体、電気、空気または機械）、再充填バルブ、配向ガイド、センサ、ロック、またはラッチ等のいくつかの、または、すべてが配置される。基準は１または複数の制御を伴って良く、この基準により、これら外観を、電子装置の対応する外観と整合させ、また適切に挿入させることが確実になる。
【００２２】
さらに、基準の要求が満たされ、かつカートリッジが寸法の上で受け側コンパートメントと互換性がある場合には、任意のサイズのカートリッジを電子装置に装着できる。利用可能なカートリッジが受け側コンパートメントより大きくて、カートリッジの一部が電子装置の外側にはみ出ていても、基準は適切な結合を保証できる。さらに、基準の要求を満たすアダプタを、利用可能なカートリッジと電子装置との間のインタフェースとして用いて、例えば、非常時に電子装置を利用可能にできる。アダプタは、本出願人の２００３年１２月１日出願に係る「燃料コンテナを充填する方法および装置」という特許出願１０／７２５２６４に開示されている。この出願の内容は、参照してここに組み入れる。機能的な要素および基準の間の関係が維持されている限り、サイズに加えて、多数のカートリッジの形状も以下に開示するように採用できる。
【００２３】
図１を参照すると、好ましい燃料カートリッジ１０が示される。燃料カートリッジは、本出願人の２００３年１２月１日出願に係る「燃料コンパチブルな材料を具備する燃料電池サプライ」という特許出願１０／７２５２４４に十分に開示されている。この出願の内容は、参照してここに組み入れる。燃料カートリッジ１０は任意の形状でよく、燃料電池が電力供給する電子装置中に配置される燃料電池へ燃料を供給するようなサイズおよび寸法とされる。燃料は流体、すなわち、液体または気体であるので、サイズや形状にかかわらず、任意のコンテナに燃料を充填でき、また、燃料は同様にコンテナのサイズや形状にかかわらず、燃料電池で消費される。したがって、燃料サプライ間の交換可能性は消費者の便宜に供するものである。カートリッジ１０は、外側ケーシング１２および内側ブラダまたはライナーとを具備し、内側ブラダが燃料を含む。好ましくは、外側ケーシング１２はライナーより堅固であり、ライナーは好ましくは柔軟である。外側ケーシングおよび内側ライナーを具備するカートリッジは、本出願人の２００３年７月２９日出願に係る「柔軟性のあるライナーを具備する燃料カートリッジ」という特許出願１０／６２９００４に十分に開示されている。この出願の内容は、参照してここに組み入れる。他の燃料サプライは、本出願人の２００３年１月３１日出願に係る「燃料電池用の燃料カートリッジ」という特許出願１０／３５６７９３に開示されているものを含む。この出願の内容は参照してここに組み入れる。
【００２４】
前面サイド１６において、カートリッジ１０は、ノズルすなわちバルブ１８、および充填ポート２０を具備する。ここで使用されるように、前面サイド１６は、カートリッジ１０の機能的な要素を含む、カートリッジ１０のサイドである。充填ポート２０は、製造プロセスにおいてライナーに燃料を輸送するのに用いられ、予め定めた量の燃料、例えば、ライナー１４の容量の約８５％〜９５％がライナーに輸送された後、シールされる。充填ポートのシーリングを再充填バルブに代えても良い。前面サイド１６は対称的な整合開口１５も具備し、これは、カートリッジ１０を受け入れる装置の表面に露出された照合突起（図示しない）を受けるサイズおよび寸法にされている。カートリッジ１０が正しく挿入されるときには、突起が開口１５に入り、カートリッジ１０が十分に挿入可能となる。カートリッジ１０が間違って、例えば、上下逆に、挿入されたときには、突起は前面サイド１６に当たり、カートリッジ１０を挿入できない。
【００２５】
カートリッジ１０は、その底面に少なくとも１つの案内レール１７を有し、これが、装置表面の対応するレール（図示しない）上を摺動または滑動してカートリッジの挿入を容易にする。さらに、前面サイド１６は電気インタフェース１９を具備し、これが、カートリッジを電子装置または電子装置を給電する燃料電池に接続するのに必須の電気コンタクトを含む。電気インタフェース１９は、電気的に読取可能な燃料ゲージ、セキュリティ装置または情報記憶装置、例えば、ＥＥＰＲＯＭに接続されても良い。燃料ゲージ、セキュリティ装置および情報記憶装置は、本出願人の２００３年１２月１日出願に係る「情報記憶装置および制御システムを有する燃料電池システム」という特許出願に開示されている。この出願の内容は参照してここに組み入れる。
【００２６】
この発明の一側面によれば、関連する機能要素、例えば整合開口１５、案内レール１７、バルブ１８、電気インタフェース１９、および充填ポート２０は、基準に応じて配置され、あるいは基準から測定される。これら機能要素は前面サイド１６またはカートリッジ１０の表面または内側の任意の他の位置に配置できる。図２（ａ）〜２（ｄ）に示すように、基準２２を前面フェース１６の角の１つとして選択できる。前面フェース１６は平坦でも曲面でも、また段差があってもよく、またこれらの組み合わせであっても良く、また平坦、曲面、段差の部分を含んでも良い。これは、カートリッジの他の面と直角に配されても、また、任意の角度に配されても良い。図示のとおり、基準２２は、下方右側の角に配置される。カートリッジ１０の前面フェース１６は、この実施例では、少なくとも１つの角があれば、矩形でも四角でもよく、大きくても小さくても良く、規則的でも非規則的でも良い。角は、直角でも、鈍角でも、鋭角でも良い。図２（ａ）〜（ｄ）に示すように、要素ＡおよびＢ、さらに、ここで用いる他のアルファベット表示は、前面フェース１６条に配置される関連する機能要素の任意のものを示す。図では２つしか示さないが、カートリッジ１０の前面サイド１６または他の面に存在する機能要素の数に制約はない。
【００２７】
基準２２からの機能要素ＡおよびＢの位置は二次元デカルト系、例えば水平Ｘ座標および垂直Ｙ座標により表現できる。図２（ａ）に示すように、要素Ａは基準２２から距離ＸａおよびＹａに位置し、要素Ｂは基準２２から距離ＸｂおよびＹｂに位置する。図２（ｂ）〜（ｄ）においても要素ＡおよびＢは同様に配置される。代替的には、要素ＡおよびＢの基準２２からの位置は、基準２２からの半径ＲａまたはＲｂと角度θａまたはθｂで表せる。ここで、θは、基準２２をなす角の水平の足（Ｘ軸上）から、または垂直の足（Ｙ軸上）から、あるいは、他の軸から測定できる。また、前面フェース１６の任意の角を基準２２にしてもよい。
【００２８】
図３（ａ）〜（ｃ）を参照すると、基準２２は前面フェース１６から突出している。機能要素ＡおよびＢは図示のようにすべてのカートリッジにおいて基準２から距離ＸａおよびＸｂ離間している。この実施例では、要素ＡおよびＢは基準２２を通る直線上に位置する。ただし、要素ＡおよびＢはこの線の上または下において離間してもよい。すなわち、要素は、ここで説明する実施例のいずれにおいても垂直のＹ要素を有してよい。図３（ｄ）を参照すると、突起の基準はどのような形状をしてもよく、これに限定されないが、蟻継ぎ形状を含んでよい。このような形状は、装置の対応するトラックとともに用いた場合に、適切な結合を保証する。図３（ｅ）を参照すると、カートリッジ１０は、前面フェース１６から突出するピンの基準２２２を具備しても良いし、カートリッジの側面に設けられたノッチがなす基準２２１を具備しても良い。基準２２１は蟻継ぎの基準でもよい。ピンの基準２２２は、図３（ｆ）に示すように、蟻継ぎの基準２２３と対をなしても良い。この実施例では、蟻継ぎの基準２２３の深さは、カートリッジの深さより浅い。
【００２９】
図４（ａ）〜（ｆ）を参照すると、基準２２は２つの個別の点を有し、機能要素ＡおよびＢは基準２２から予め定めた距離ＸａおよびＸｂ離間した配置される。この実施例では、基準は、前面フェース１６の一定幅の区域に配置される。基準は基準点２２の間のサイド２３を含んでも良い。図４（ａ）および（ｃ）を参照すると、基準２２は角に配置される。図４（ｂ）および（ｄ）を参照すると、基準２２は角から離れて配置されても良い。図４（ｅ）および（ｆ）を参照すると、基準２２は一定幅区域に配置されるが、残りの前面部分は異なる幅または変化する幅を具備する。この一定幅区域はカートリッジの最も厚い部分よりも薄くなっている。図４（ｇ）および（ｈ）を参照すると、基準は、図４（ｅ）および（ｆ）と類似する比較的薄い区域に配置され、カートリッジの残りの部分は任意の形状を取って良い。基準２２は前面フェースから予め定められた距離だけ後方に配置しても良いが、基準は前面フェースにあることが好ましい。さらに、カートリッジの幅すなわち厚さは前面フェースから離れるに従って（奥の方向）、大きくなったり、小さくなったりしても良い。例えば、図１に示すように、カー尾リッジの厚さが前面フェースから離れるに従って大きくなる。
【００３０】
図５（ａ）および（ｂ）を参照すると、基準２２は直交する、すなわち直角な基準点２２１および２２２を含む。この例では、基準点２２２は固定線として働き、機能要素ＡおよびＢが点２２２を通る線上に配置される。基準点２２１は距離ＸａおよびＸｂを測定する基準線をなす。
【００３１】
基準２２は、図６（ａ）〜（ｄ）に示すように、前面フェース１６から奥まったり、切り込まれていたりしてもよい。図５の直交する基準２２１および２２２に類似する、直交するノッチ２４１および２４２を具備する紀文を図６（ａ）に示す。直交するノッチ２４１および２４２は図６（ｂ）および（ｄ）に示すように相互に連結されても良い。図６（ｃ）は、図４（ｄ）に示す基準２２に類似する基準ノッチ２４を示す。このノッチはカートリッジの全部の厚さを貫通してもよいし、予め定めた深さであってもよい。好ましくは、深さは十分なものであり、カートリッジを配置させ、配向させ、誤って挿入されるのを防止するようになっている。ノッチの基準２４は単一点の基準であっても良い。
【００３２】
機能要素Ａ、Ｂは、基準２２、２４を通るいずれの特定の線上にある必要はない。図７（ａ）および（ｂ）に示されるように、要素Ａ、ＢおよびＣは前面フェース１６のいずれの位置に配されても良い。これら要素は基準２２に対して距離（Ｘａ，Ｙｂ）、（Ｘｂ，Ｙｂ）および（Ｘｃ，Ｙｃ）の距離に配置される。代替的には、これらの位置は、（Ｒａ，θａ）、（Ｒｂ，θｂ）および（Ｒｃ，θｃ）で表される。
【００３３】
この発明は、燃料電池カートリッジの交換可能性を最大化させる。機能要素を担持する、カートリッジの前面フェースの一部、および／または、側壁のみ標準化すればよい。したがって、燃料電池により電力供給を受ける電気装置は、機能要素が標準化基準に応じて設けられている限り、多くの異なるカートリッジを受け入れることができる。
【００３４】
例えば、図８（ａ）および（ｂ）に示すように、カートリッジ１０が突起の基準２２を具備し、電子装置２６と一緒に示され、この電子装置２６が受けチャンバ２８を具備し、これがカートリッジ１０を収容するようになっている。カートリッジ１０はその前面フェース１６に機能要素ＡおよびＢを具備し、これらがこの発明に従って基準２２に応じて配置される。受けチャンバ２８は内部フェース１６’を具備し、これが前面フェース１６に対応する。内部フェース１６’上に結合Ａ’およびＢ’が設けられ、これら結合が機能要素ＡおよびＢに対応する。例えば結合Ａ’および機能要素Ａは、カートリッジ１０から電子装置２６への燃料の流れを制御する二要素遮断バルブであってよい。二要素遮断バルブは、本出願人の２００３年７月２９日出願に係る「連結バルブを具備する燃料カートリッジ」という特許出願１０／６２９００６に十分に開示されており、その出願の内容は参照してここに組み入れる。結合Ｂ’および機能要素Ｂは、例えば、ＥＥＰＲＯＭデータ記憶装置および電子装置内部のコントローラへの結合である。上述のとおり、機能要素は前面フェース、側部または背面部に位置する任意の要素で良く、電子装置中の対応する結合部に結合可能である。内部フェース１６’はさらに照合基準２２’を具備し、これがカートリッジ１０上の基準２２と対応する。図９（ａ）および（ｂ）は、図８（ａ）および（ｂ）のそれらと類似する、他の電子装置２６およびカートリッジ１０を示す。ただし、基準２２は角の突起の基準であり、これは図２に類似する。
【００３５】
このように、カートリッジ１０をチャンバ２８に装着したときに、基準２２および照合基準２２’が相互に整合する限り、すべての機能要素、例えば、ＡおよびＢが対応する結合、例えばＡ’およびＢ’に整合することになる。基準の要求を満たすカートリッジ１０は、どのようなものでも、その寸法、形状または構造と無関係に、同一に基準を有する任意の電子装置２６とともに、使用可能である。大きいカートリッジおよび小さいカートリッジは基準点が同一である限り相互に交換可能であり、前面フェースの一部が標準化されているだけで良い。同様に、四角いカートリッジの幅より径が短い丸いカートリッジは、基準点が同一であれば、それに代えることができる。
【００３６】
図８（ｃ）〜（ｅ）はさらにこの発明の基準付きカートリッジを示す。チャンバ２８はこれらの図において同一の寸法および基準を具備し、形状および寸法が異なるが基準が同一のカートリッジを収容するようになっている。図８（ｃ）において、カートリッジ１０はチャンバ２８と同一の奥行きを有するが、その幅は顕著に短い。図８（ｄ）において、カートリッジ１０は不規則な形状をしているが、基準は同一である。このカートリッジは電子装置の外側でそれを取り巻く部分を具備する。図８（ｄ）において、カートリッジ１０は非多角形、すなわち、より具体的には円形または楕円形の形状をしているが、基準は同一であり、燃料を電子装置２６に供給できる。
【００３７】
図１０（ａ）〜（ｄ）は、同一形状で同一寸法のカートリッジ１０を示し、これは異なるサイズおよび寸法のチャンバ２８を具備する電子装置に使用できる。カートリッジ１０およびチャンバ２８の双方は同一の基準を有する。図１０（ａ）はチャンバ２８と同一の形状および寸法を有するカートリッジ１０を示す。カートリッジ１０はチャンバ２８と面一に結合する。図１０（ｂ）はチャンバ２８に対して幅は同じであるが奥行きが短いカートリッジ１０を示す。カートリッジ１０はチャンバ２８の内部に完全に入って取り付けられる。図１０（ｃ）は同一のカートリッジ１０を示し、これは非多角形形状のチャンバ２８に取り付け可能である。図１０（ｄ）は同一のカートリッジ１０を示し、これは、チャンバ１８に対して幅が同一であるが、奥行きが大きいものである。カートリッジ１０は、電子装置の側部を越えて挿入した後に、燃料を電子装置に供給できる。
【００３８】
図８〜１０に示すように、いくつかの実施例では、カートリッジ１０は電子装置２６と面一に取り付けられる。例えば、図８（ａ）および（ｂ）、図９（ａ）および（ｂ）および図１０（ａ）を参照されたい。換言すれば、カートリッジ１０を電子装置２６に取り付けた後、カートリッジ１０の後端が電子装置２６の外部表面と合致する。他方、図８（ｃ）、（ｄ）、（ｅ）および図１０（ｂ）、（ｃ）および（ｄ）では、図示のように、カートリッジ１０を電子装置２６に取り付けた後、カートリッジ１０は電子装置２６の外側表面から突き出たり、電子装置２６の内部に埋めこまれたりする。
【００３９】
この発明の他の実施例によれば、基準２２は少なくとも１つの機能要素と合致する。図１１に示すように、基準２２は、機能要素Ａと合致するが、それ以外では、基準２２は任意の機能要素と合致しても合致しなくても良い。他の要素の位置は基準２２すなわち機能要素Ａから測定される。図１１は、これらの位置を極座標すなわち球座標で表示する。これらの位置は、基準２２／要素Ａに対する半径Ｒ（ｂ，ｃ，ｄ）および角度θ（ｂ，ｃ，ｄ）で表しても良い。要素Ａは、基準から０．００ｃｍまたはインチおよび０°として表現される。これらの位置は基準からのデカルト座標（Ｘｂ，Ｙｂ）、（Ｘｃ，Ｙｃ）および（Ｘｄ，Ｙｄ）で表現されても良い。この実施例では、カートリッジが電子装置に装着可能であれば、前面フェース１６のサイズや形状はあまり重要でない。図示のように、前面フェース１６は円形でも多角形でも良い。
【００４０】
この発明の他の実施例によれば、電子装置２６上の受けチャンバ２８はその角に配置され、すなわち、チャンバ２８の少なくとも２つの側部の部分を占める。図１２（ａ）に示すように、チャンバ２８は電子装置２６の２つの側部により境界付けられ、カートリッジ１０がこのチャンバ２８により収容されるようになっている。この実施例では、基準２２および照合基準２２’は図３（ｄ）に示すものと類似の蟻継ぎ基準である。蟻継ぎの結合により、より高レベルの構造的な支持が実現され、また、基準が付加的な構造的な支持を実現することが好ましく、最も好ましくは、カートリッジが電子装置の外に伸びる。
【００４１】
図示のとおり、カートリッジ１０は電子装置２６の外に伸びる。ただし、カートリッジは電子装置の内部に完全に入り込み、または電子装置の側部と面一になるような寸法であっても良い。この発明の他の実施例によれば、機能要素は図示のとおり、前面フェース１６または側部３０に配置されて良く、また、頂部または背面部を含む、カートリッジの任意に表面に配置されても良い。ここで、機能要素ＡおよびＢが前面フェース１６に配置され、機能要素Ｃ、ＤおよびＦが側部３０に配置されるとする。これら機能要素はそれぞれチャンバ２８中の結合Ａ’、Ｂ’、Ｃ’、Ｄ’およびＦ’に対応して係合する。図示のとおり、機能要素は基準の上に配置されても、それから離間して配置されても良い。この実施例では、機能要素はそれぞれ同意地平面にはない。３次元座標、例えばＸ−Ｙ−Ｚデカルト系またはＲ、θ、φ球座標系を用いて基準に対する機能要素の位置を記述できる。模式的には、機能要素Ａの基準２２に対するデカルト系および球三次元座標の表現例を図１２（ｂ）に示す。
【００４２】
図１３（ａ）〜（ｄ）は、この発明のさらに他の実施例を示す。前面フェース１６は任意の形状でよい。図１３（ａ）に示すように、前面フェース１６は部分１６１および部分１６２を有し、これらは同一平面にない。これら部分はお互いに平行であっても、角度をなしていても良い。各部分は、１または複数の機能要素を含み、または含まなくても良い。これらフェース部分は実質的に平坦でも曲面でもよい。機能要素は前面フェース１６、側部３０、背面部３２または頂部３４にあってよい。図１３（ａ）の基準は突出する角の基準である。好ましくは、機能要素の位置は、図示のとおり、フェース１６上の基準の中央または縁から測定される。ただし、これらの位置は基準２２上の任意の点から測定されても良い。機能要素の位置は、図１３（ａ）において機能要素Ａについて示されるように、デカルト座標で表現されても良く、また、図１３（ｂ）に示すように球座標で表現されても良い。図１３（ｂ）は、機能要素がカートリッジの円形側部に配された実施例を示す。図１３（ｃ）は、図１３（ａ）と類似であるが、基準２２は溝であり、前面フェース１６は相互に所定の角度をなす２つの部分を含む。図１３（ｄ）は、機能要素がどこに配置されても良く、また基準２２が溝である基準付きカートリッジの他の例を示す。例えば、図１３（ｄ）では、機能要素Ａはバルブであってよく、機能要素Ｂはメモリ記憶装置であってよく、機能要素ＣはバルブＡにバイアス力を加えて、バルブＡが、電子装置上の対応する結合Ａ’に確実に取り付けられることを保証する。
【００４３】
代替的には、図１３（ｄ）に示すように、機能要素ＡおよびＣが配置される表面の間の距離が固定長の基準を形成しても良い。２つの表面の２つの縁または２つの角が基準を形成しても良い。
【００４４】
図１４（ａ）はこの発明の他の実施例を示している。上述のとおり、アダプタを用いて比較的大きな燃料カートリッジを、より小さな電子装置（あるいはその逆）に結合させてもよい。大きな燃料カートリッジは、その大きな寸法上の制約により、アダプタなしでは、より小さな電子装置に燃料を供給できないであろう。図１４（ａ）において、燃料カートリッジ１０の幅３６が小さすぎて電子装置２６のチャンバ２８内に取り付けられず、またカートリッジ１０の基準２２が浅すぎて、チャンバ２８を通り抜けて電子装置上の照合基準２２’と係合できない。この発明によれば、アダプタ３８を設けて基準２２を照合基準２２’に結合させる。アダプタ３８は、電子装置２６上の基準２２’と係合する基準４０と、カートリッジ１０上の基準２２と係合する基準４２とを有し、これは図示のとおりである。アダプタ３８は、基準４０の周辺で必須の機能要素Ａ、Ｂ、Ｃ等を有し、これらが、電子装置上の結合要素Ａ’、Ｂ’、Ｃ’等と結合し、またアダプタ３８は基準４２の周辺で結合要素Ａ’、Ｂ’、Ｃ’等を有し、これらがカートリッジ１０の機能要素Ａ、Ｂ、Ｃ等と結合する。アダプタ３８の内部において、基準４２の近くの機能要素Ａ、Ｂ、Ｃ等は、基準４０の近くの結合Ａ’、Ｂ’、Ｃ’等と結合され、その間の流体、電気、機械、油圧等の任意およびすべての結合を確立する。
【００４５】
代替的には、アダプタ３８はその一端において基準４０を有し、これが基準２２’と係合し、他方、他端が燃料源または燃料サプライ４４に燃料パイプ４６を介して結合されてよく、これは図１４（ｂ）に示すとおりである。アダプタは、相互に流体的に連通された複数の燃料サプライと結合されても良い。この実施例では、燃料サプライ４４が比較的大きな燃料サプライで構成でき、これは複数の電子装置２６に燃料を供給できるという利点がある。燃料パイプ４６は、燃料サプライ４６からアダプタ３８への流体連通を確立する１または複数のチューブであってよい。代替的には、燃料パイプ４６は、複数のバルブおよび連結金具を具備するマニホールドとしてもよく、これにより、単一のアダプタを複数の燃料サプライとともに使用したり、単一の燃料サプライを複数のアダプタとともに使用したりできる。
【００４６】
電子装置は、カートリッジを電子装置に装着した後に、当該カートリッジ１０を保持する保持機構をさらに有しても良い。例えば、電子装置２６はピンの基準、例えば図３（ｅ）に示すようなピンの基準２２２と係合するようにされたＣクリップを有し、カートリッジ１０を固着できるようにする。さらに他の保持部、例えばアーム４８が電子装置のチャンバ２８内に配置され、蟻継ぎの基準２２３の末端と係合するように構成され、チャンバ２８内でカートリッジ１０を保持する。好ましくは、アーム４８は保持位置に向けてバイアスされている。
【００４７】
この発明の他の側面によれば、基準を用いて、互換性のない燃料が電子装置に挿入されるのを防止するようにしてもよい。上述のとおり、利用可能な燃料電池燃料は、メタノール、水素化ホウ素ナトリウム、炭化水素、その他多種である。基準システムを採用して、単一の燃料を個別の基準に関連付け、互換性のない燃料を含む燃料サプライがホストの電子装置に挿入されないようにできる。図１５（ａ）〜（ｃ）に示すように、カートリッジ１０はノッチの基準２２１および２２２を具備する。この２つのノッチの基準点の間の距離をＸで示す。具体的なタイプの燃料では、距離Ｘがその燃料用に選択され、他の燃料を含む燃料サプライがホストの装置に装着されないようにする。図１５（ｄ）および（ｅ）に示すようにノッチの基準２２１および２２２を単一のリセスの基準２２に置き換えても良い。リセスの基準２２はチャンバ２８に配置されたピンを受けるように構成される。図示のとおり、リセスの基準の位置および機能要素の位置を交換して具体的な燃料の基準を定義できる。
【００４８】
ここに開示された発明の例示的な実施例がこの発明の目的を達成することは明らかであるが、当業者が種々の変形や他の実施例を構成できることは容易に理解できる。例えば、１つの機能要素を基準に対応して配置し、他の機能要素（複数）を基準と無関係に配置できる。すなわち、他の機能要素を第１の機能要素と対応させて配置させても良い。さらに、任意の実施例の特徴および／または要素を単一でまたは他の実施例を組み合わせて採用しても良い。図１６（ａ）〜（ｏ）に示すように、複数の前面フェース１６が例示されている。基準２２はノッチ、ピン、リセス、突出角部、および蟻継ぎ、その他であって良く、交換可能に採用できる。基準の位置は予め選択し、または標準化して任意の基準を満たすようにしてもよい。したがって、添付の特許請求の範囲は、この発明の趣旨および範囲に含まれるすべての変形例や実施例をカバーすることを意図するものであることは、容易に理解できる。
【００４９】
添付図面は明細書の一部を形成し、明細書との関連において理解されるべきであり、種々の図において類似の参照番号は類似の部分を示すために用いられる。添付図面は以下の通りである。
【図面の簡単な説明】
【００５０】
【図１】適切な燃料電池燃料カートリッジの斜視図である。
【図２（ａ）】この発明に従う、角の基準をベースにしたカートリッジの正面図である。
【図２（ｂ）】この発明に従う、角の基準をベースにしたカートリッジの正面図である。
【図２（ｃ）】この発明に従う、角の基準をベースにしたカートリッジの正面図である。
【図２（ｄ）】この発明に従う、角の基準をベースにしたカートリッジの正面図である。
【図３（ａ）】この発明に従う、突起の基準をベースにしたカートリッジの正面図である。
【図３（ｂ）】この発明に従う、突起の基準をベースにしたカートリッジの正面図である。
【図３（ｃ）】この発明に従う、突起の基準をベースにしたカートリッジの正面図である。
【図３（ｄ）】この発明に従う、突起の基準をベースにしたカートリッジの正面図である。
【図４（ａ）】この発明に従う、幅の基準をベースにしたカートリッジの正面図である。
【図４（ｂ）】この発明に従う、幅の基準をベースにしたカートリッジの正面図である。
【図４（ｃ）】この発明に従う、幅の基準をベースにしたカートリッジの正面図である。
【図４（ｄ）】この発明に従う、幅の基準をベースにしたカートリッジの正面図である。
【図４（ｅ）】この発明に従う、幅の基準をベースにしたカートリッジの正面図である。
【図４（ｆ）】この発明に従う、幅の基準をベースにしたカートリッジの正面図である。
【図４（ｇ）】この発明に従う、幅の基準をベースにしたカートリッジの正面図である。
【図４（ｈ）】この発明に従う、幅の基準をベースにしたカートリッジの正面図である。
【図５（ａ）】この発明に従う、直交の基準をベースにしたカートリッジの正面図である。
【図５（ｂ）】この発明に従う、直交の基準をベースにしたカートリッジの正面図である。
【図６（ａ）】この発明に従う、ノッチの基準をベースにしたカートリッジの正面図である。
【図６（ｂ）】この発明に従う、ノッチの基準をベースにしたカートリッジの正面図である。
【図６（ｃ）】この発明に従う、ノッチの基準をベースにしたカートリッジの正面図である。
【図６（ｄ）】この発明に従う、ノッチの基準をベースにしたカートリッジの正面図である。
【図７（ａ）】この発明に従う、付加的な基準をベースにしたカートリッジの正面図である。
【図７（ｂ）】この発明に従う、付加的な基準をベースにしたカートリッジの正面図である。
【図８（ａ）】電子装置、および、この発明に従う、突起の基準をベースにしたカートリッジの平面図である。
【図８（ｂ）】図８（ａ）の電子装置、および、カートリッジの正面図である。
【図８（ｃ）】図８（ａ）の電子装置、および、種々の形状であるが同一の基準のカートリッジの平面である。
【図８（ｄ）】図８（ａ）の電子装置、および、種々の形状であるが同一の基準のカートリッジの平面である。
【図８（ｅ）】図８（ａ）の電子装置、および、種々の形状であるが同一の基準のカートリッジの平面である。
【図９（ａ）】電子装置、および、図８（ａ）および（ｂ）と、基準が角の突起の基準である点を除き同一のカートリッジの平面図である。
【図９（ｂ）】電子装置、および、図８（ａ）および（ｂ）と、基準が角の突起の基準である点を除き同一のカートリッジの正面図である。
【図１０（ａ）】種々の電子装置に利用できる、この発明に従う単一のカートリッジの平面図である。
【図１０（ｂ）】種々の電子装置に利用できる、この発明に従う単一のカートリッジの平面図である。
【図１０（ｃ）】種々の電子装置に利用できる、この発明に従う単一のカートリッジの平面図である。
【図１０（ｄ）】種々の電子装置に利用できる、この発明に従う単一のカートリッジの平面図である。
【図１１】カートリッジの１または複数の機能要素と一致する基準の正面図である。
【図１２（ａ）】電子装置、および、機能要素がカートリッジの２以上の側部に配置されているカートリッジの斜視図である。
【図１２（ｂ）】基準に対する機能要素の位置を記述する２つの三次元座標系を示す図である。
【図１３（ａ）】この発明の付加的な実施例の斜視図である。
【図１３（ｂ）】この発明の付加的な実施例の斜視図である。
【図１３（ｃ）】この発明の付加的な実施例の斜視図である。
【図１３（ｄ）】この発明の付加的な実施例の斜視図である。
【図１４（ａ）】燃料カートリッジ、電子装置、および燃料カートリッジを電子装置に結合させるアダプタの斜視図である。
【図１４（ｂ）】他のアダプタの斜視図である。
【図１５（ａ）】この発明の付加的な実施例の部分斜視図である。
【図１５（ｂ）】この発明の付加的な実施例の部分斜視図である。
【図１５（ｃ）】この発明の付加的な実施例の部分斜視図である。
【図１５（ｄ）】この発明の付加的な実施例の部分斜視図である。
【図１５（ｅ）】この発明の付加的な実施例の部分斜視図である。
【図１６（ａ）】この発明の付加的な実施例の部分正面図である。
【図１６（ｂ）】この発明の付加的な実施例の部分正面図である。
【図１６（ｃ）】この発明の付加的な実施例の部分正面図である。
【図１６（ｄ）】この発明の付加的な実施例の部分正面図である。
【図１６（ｅ）】この発明の付加的な実施例の部分正面図である。
【図１６（ｆ）】この発明の付加的な実施例の部分正面図である。
【図１６（ｇ）】この発明の付加的な実施例の部分正面図である。
【図１６（ｈ）】この発明の付加的な実施例の部分正面図である。
【図１６（ｉ）】この発明の付加的な実施例の部分正面図である。
【図１６（ｊ）】この発明の付加的な実施例の部分正面図である。
【図１６（ｋ）】この発明の付加的な実施例の部分正面図である。
【図１６（ｌ）】この発明の付加的な実施例の部分正面図である。
【図１６（ｍ）】この発明の付加的な実施例の部分正面図である。
【図１６（ｎ）】この発明の付加的な実施例の部分正面図である。
【図１６（ｏ）】この発明の付加的な実施例の部分正面図である。
【符号の説明】
【００５１】
１０      燃料カートリッジ
１２      外側ケーシング
１４      ライナー
１６      前面フェース
１６’      内部フェース
１７      案内レール
１８      遮断バルブ
１９      電気インタフェース
２０      充填ポート
２２      基準
２２’      照合基準
２６      電子装置
２８      チャンバ
３０      側部
３２      背面部
３４      頂部
３６      幅
３８      アダプタ
【図１】
2007526600.tif 000003
【図２ａ】
2007526600.tif 000004
【図２ｂ】
2007526600.tif 000005
【図２ｃ】
2007526600.tif 000006
【図２ｄ】
2007526600.tif 000007
【図３ａ】
2007526600.tif 000008
【図３ｂ】
2007526600.tif 000009
【図３ｃ】
2007526600.tif 000010
【図３ｄ】
2007526600.tif 000011
【図３ｅ】
2007526600.tif 000012
【図３ｆ】
2007526600.tif 000013
【図４ａ】
2007526600.tif 000014
【図４ｂ】
2007526600.tif 000015
【図４ｃ】
2007526600.tif 000016
【図４ｄ】
2007526600.tif 000017
【図４ｅ】
2007526600.tif 000018
【図４ｆ】
2007526600.tif 000019
【図４ｇ】
2007526600.tif 000020
【図４ｈ】
2007526600.tif 000021
【図５ａ】
2007526600.tif 000022
【図５ｂ】
2007526600.tif 000023
【図６ａ】
2007526600.tif 000024
【図６ｂ】
2007526600.tif 000025
【図６ｃ】
2007526600.tif 000026
【図６ｄ】
2007526600.tif 000027
【図７ａ】
2007526600.tif 000028
【図７ｂ】
2007526600.tif 000029
【図８ａ】
2007526600.tif 000030
【図８ｂ】
2007526600.tif 000031
【図８ｃ】
2007526600.tif 000032
【図８ｄ】
2007526600.tif 000033
【図８ｅ】
2007526600.tif 000034
【図９ａ】
2007526600.tif 000035
【図９ｂ】
2007526600.tif 000036
【図１０ａ】
2007526600.tif 000037
【図１０ｂ】
2007526600.tif 000038
【図１０ｃ】
2007526600.tif 000039
【図１０ｄ】
2007526600.tif 000040
【図１１】
2007526600.tif 000041
【図１２ａ】
2007526600.tif 000042
【図１２ｂ】
2007526600.tif 000043
【図１３ａ】
2007526600.tif 000044
【図１３ｂ】
2007526600.tif 000045
【図１３ｃ】
2007526600.tif 000046
【図１３ｄ】
2007526600.tif 000047
【図１４ａ】
2007526600.tif 000048
【図１４ｂ】
2007526600.tif 000049
【図１５ａ】
2007526600.tif 000050
【図１５ｂ】
2007526600.tif 000051
【図１５ｃ】
2007526600.tif 000052
【図１５ｄ】
2007526600.tif 000053
【図１５ｅ】
2007526600.tif 000054
【図１６ａ】
2007526600.tif 000055
【図１６ｂ】
2007526600.tif 000056
【図１６ｃ】
2007526600.tif 000057
【図１６ｄ】
2007526600.tif 000058
【図１６ｅ】
2007526600.tif 000059
【図１６ｆ】
2007526600.tif 000060
【図１６ｇ】
2007526600.tif 000061
【図１６ｈ】
2007526600.tif 000062
【図１６ｉ】
2007526600.tif 000063
【図１６ｊ】
2007526600.tif 000064
【図１６ｋ】
2007526600.tif 000065
【図１６ｌ】
2007526600.tif 000066
【図１６ｍ】
2007526600.tif 000067
【図１６ｎ】
2007526600.tif 000068
【図１６ｏ】
2007526600.tif 000069
【国際調査報告】
2007526600.tif 000070